(57)【特許請求の範囲】
【請求項１】
互いに上下に位置する一対の水平部材間に設置される制振装置であって、
上側の前記水平部材に接合され、下方に延びる上部ブラケットと、
下側の前記水平部材に接合され、上方に延びる下部ブラケットと、
前記上部ブラケットと前記下部ブラケットとの間に設けられ、前記上部ブラケットと前記下部ブラケットとの水平方向の相対変位を減衰するダンパーと、
前記ダンパーよりも上下に長く、上端部が上側の前記水平部材に結合され、下端部が下側の前記水平部材に結合された鉛直荷重支持部材と、を備え、
上側の前記水平部材および下側の前記水平部材のそれぞれに、前記鉛直荷重支持部材が結合されるガセットプレートが一体に設けられ、
上側の前記水平部材に設けられた前記ガセットプレートは、前記ダンパーよりも上方位置で前記鉛直荷重支持部材の前記上端部が結合される上部結合部を有し、
下側の前記水平部材に設けられた前記ガセットプレートは、前記ダンパーよりも下方位置で前記鉛直荷重支持部材の前記下端部が結合される下部結合部を有し、
前記鉛直荷重支持部材は、前記ガセットプレートを、前記水平部材が延びる方向に挟んだ両側にそれぞれ設けられている制振装置。
【請求項２】
前記ガセットプレートおよび前記鉛直荷重支持部材によって構成される鉛直支持部は、前記ダンパーの変位吸収方向中央部に位置している請求項１に記載の制振装置。
【請求項３】
互いに上下に位置する一対の水平部材間に設置される制振装置であって、
上側の前記水平部材に接合され、下方に延びる上部ブラケットと、
下側の前記水平部材に接合され、上方に延びる下部ブラケットと、
前記上部ブラケットと前記下部ブラケットとの間に設けられ、前記上部ブラケットと前記下部ブラケットとの水平方向の相対変位を減衰するダンパーと、
前記ダンパーよりも上下に長く、上端部が上側の前記水平部材に結合され、下端部が下側の前記水平部材に結合された鉛直荷重支持部材と、を備え、
前記上部ブラケットおよび前記下部ブラケットは、ウェブ部と、ウェブ部の両側に直交して設けられたフランジ部とを有した断面Ｈ型をなし、
前記鉛直荷重支持部材の少なくとも一部は、前記ウェブ部の両側の前記フランジ部に挟まれた空間内に配置されている制振装置。
【請求項４】
互いに上下に位置する一対の水平部材間に設置される制振装置であって、
上側の前記水平部材に接合され、下方に延びる上部ブラケットと、
下側の前記水平部材に接合され、上方に延びる下部ブラケットと、
前記上部ブラケットと前記下部ブラケットとの間に設けられ、前記上部ブラケットと前記下部ブラケットとの水平方向の相対変位を減衰するダンパーと、
前記ダンパーよりも上下に長く、上端部が上側の前記水平部材に結合され、下端部が下側の前記水平部材に結合された鉛直荷重支持部材と、を備え、
前記鉛直荷重支持部材は、前記水平部材を、前記水平部材が延びる方向に交差する方向に挟んだ両側にそれぞれ設けられている制振装置。
【請求項５】
前記ダンパーは、鋼製ダンパーである請求項１から４のいずれか一項に記載の制振装置。
【請求項６】
上下方向に間隔を空けて複数設けられた水平構造体と、
互いに上下に位置する前記水平構造体における水平部材間に設けられた請求項１から５いずれか一項に記載の制振装置と、
を備える構造物。
【発明の詳細な説明】
【技術分野】
【０００１】
本発明は、建物の制振性能を高める制振装置および構造物に関する。
【背景技術】
【０００２】
従来から、例えば下記特許文献１に記載されているような、上下一対の取付部材と、上下一対の取付部材の間に設けられた粘弾性ダンパー（制振部材）と、上下一対の取付部材間に設けられて、上下方向に作用する鉛直荷重を支持する上下方向支持部材と、を備える構成の制振ユニットが知られている。
このような構成によれば、上下方向支持部材の上下の端部に、上下の取付部材の相対変位が生じたときに曲げ方向の力が作用する。この曲げ方向の力を逃がすため、特許文献１に開示された構成においては、上下方向支持部材を、球面滑り軸受を介して上下の取付部材に取り付けている。
【先行技術文献】
【特許文献】
【０００３】
【特許文献１】特許第５５３５６６２号公報
【発明の概要】
【発明が解決しようとする課題】
【０００４】
ところで、上記特許文献１に開示された構成においては、上下方向支持部材の上下の端部に球面滑り軸受を設けるため、コストが掛かる。
【０００５】
本発明は、前述した事情に鑑みてなされたものであって、低コストでありながら、耐震性能を確保することのできる制振装置および構造物を提供することを目的とする。
【課題を解決するための手段】
【０００６】
前記課題を解決するために、本発明は以下の手段を提案している。
本発明に係る制振装置は、互いに上下に位置する一対の水平部材間に設置される制振装置であって、上側の前記水平部材に接合され、下方に延びる上部ブラケットと、下側の前記水平部材に接合され、上方に延びる下部ブラケットと、前記上部ブラケットと前記下部ブラケットとの間に設けられ、前記上部ブラケットと前記下部ブラケットとの水平方向の相対変位を減衰するダンパーと、前記ダンパーよりも上下に長く、上端部が上側の前記水平部材に結合され、下端部が下側の前記水平部材に結合された鉛直荷重支持部材と、を備え、上側の前記水平部材および下側の前記水平部材のそれぞれに、前記鉛直荷重支持部材が結合されるガセットプレートが一体に設けられ、上側の前記水平部材に設けられた前記ガセットプレートは、前記ダンパーよりも上方位置で前記鉛直荷重支持部材の前記上端部が結合される上部結合部を有し、下側の前記水平部材に設けられた前記ガセットプレートは、前記ダンパーよりも下方位置で前記鉛直荷重支持部材の前記下端部が結合される下部結合部を有し、前記鉛直荷重支持部材は、前記ガセットプレートを、前記水平部材が延びる方向に挟んだ両側にそれぞれ設けられていることを特徴とする。
【０００７】
この場合、互いに上下に位置する一対の水平部材間において、ダンパーは、上側の水平部材から下方に延びる上部ブラケットと、下側の水平部材から上方に延びる下部ブラケットとの間に設けることで、ダンパーの上下方向の寸法を小さくすることができる。これにより、地震時等においては、上部ブラケットと下部ブラケットとを介して伝達される上側の水平部材と下側の水平部材との水平方向の相対変位を効率よく減衰することができる。
また、鉛直荷重支持部材は、ダンパーの上下方向の寸法よりも上下に長いため、鉛直荷重支持部材の上端部における上側の水平部材への接合部分、および下端部における下側の水平部材への接合部材における変位角を小さくすることができる。したがって、鉛直荷重支持部材の上端部および下端部においては、コストの掛かる球面滑り軸受等を用いる必要がない。
【０００９】
また、鉛直荷重支持部材を、上下の水平部材に一体に設けたガセットプレートを介して取り付けることで、鉛直荷重支持部材の上下端部を上下の水平部材のそれぞれに対して強固に結合することができる。
また、上下のガセットプレートは、上下の水平部材に対して鉛直荷重支持部材側に上部結合部、下部結合部を有しているので、鉛直荷重支持部材を容易に結合することができる。
【００１１】
また、鉛直荷重支持部材をガセットプレートの両側に配置し、鉛直荷重支持部材の本数を増やすことで、鉛直荷重を複数の鉛直荷重支持部材で分散して支持することができる。したがって、鉛直荷重支持部材のそれぞれで支持する鉛直荷重が小さくなり、鉛直荷重支持部材のそれぞれを細くすることができる。これにより、制振装置の水平面内における断面寸法を小さくすることができる。
【００１２】
また、前記ガセットプレートおよび前記鉛直荷重支持部材によって構成される鉛直支持部は、前記ダンパーの変位吸収方向中央部に位置しているようにしてもよい。
【００１３】
この場合、ダンパーに対して鉛直支持部が、ダンパーの変位吸収方向中央部からオフセットするのを抑えることで、鉛直荷重支持部材に偏心力が掛かるのを抑えることができる。
【００１４】
また、本発明に係る制振装置は、互いに上下に位置する一対の水平部材間に設置される制振装置であって、上側の前記水平部材に接合され、下方に延びる上部ブラケットと、下側の前記水平部材に接合され、上方に延びる下部ブラケットと、前記上部ブラケットと前記下部ブラケットとの間に設けられ、前記上部ブラケットと前記下部ブラケットとの水平方向の相対変位を減衰するダンパーと、前記ダンパーよりも上下に長く、上端部が上側の前記水平部材に結合され、下端部が下側の前記水平部材に結合された鉛直荷重支持部材と、を備え、前記上部ブラケットおよび前記下部ブラケットは、ウェブ部と、ウェブ部の両側に直交して設けられたフランジ部とを有した断面Ｈ型をなし、前記鉛直荷重支持部材の少なくとも一部は、前記ウェブ部の両側の前記フランジ部に挟まれた空間内に配置されているようにしてもよい。
【００１５】
この場合、断面Ｈ型をなした上部ブラケットおよび下部ブラケットに対し、ウェブ部の両側のフランジ部に挟まれた空間内に、鉛直荷重支持部材の少なくとも一部を配置することで、鉛直荷重支持部材の、ウェブ部の表面から離間する方向への突出寸法を抑えることができる。これにより、制振装置の水平面内における断面寸法を小さくすることができる。
【００１６】
また、本発明に係る制振装置は、互いに上下に位置する一対の水平部材間に設置される制振装置であって、上側の前記水平部材に接合され、下方に延びる上部ブラケットと、下側の前記水平部材に接合され、上方に延びる下部ブラケットと、前記上部ブラケットと前記下部ブラケットとの間に設けられ、前記上部ブラケットと前記下部ブラケットとの水平方向の相対変位を減衰するダンパーと、前記ダンパーよりも上下に長く、上端部が上側の前記水平部材に結合され、下端部が下側の前記水平部材に結合された鉛直荷重支持部材と、を備え、前記鉛直荷重支持部材は、前記水平部材を、前記水平部材が延びる方向に交差する方向に挟んだ両側にそれぞれ設けられているようにしてもよい。
【００１７】
この場合、鉛直荷重支持部材を水平部材の両側に配置し、鉛直荷重支持部材の本数を増やすことで、鉛直荷重を複数の鉛直荷重支持部材で分散して支持することができる。したがって、鉛直荷重支持部材のそれぞれで支持する鉛直荷重が小さくなり、鉛直荷重支持部材のそれぞれを細くすることができる。これにより、制振装置の水平面内における断面寸法を小さくすることができる。
【００１８】
また、前記ダンパーは、鋼製ダンパーであるようにしてもよい。
【００１９】
この場合、ダンパーを鋼製ダンパーとすることで、ダンパーを粘弾性ダンパーとした場合に比較し、熱影響を受けにくくすることができる。つまり、粘弾性ダンパーは、雰囲気温度が上昇すると、振動エネルギーを吸収する粘性体が軟化し、エネルギー吸収能力が低下するのに対し、鋼製ダンパーは粘性体を備えないために、雰囲気温度上昇の影響を受けない。したがって、制振装置を建物の外部に設ける場合等においても、高い耐振性能を確実に維持することができる。
【００２０】
本発明に係る構造物は、上下方向に間隔を空けて複数設けられた水平構造体と、互いに上下に位置する前記水平構造体における水平部材間に設けられた上記したような制振装置と、を備えることを特徴とする。
【００２１】
この場合、地震時等においては、制振装置により水平方向の相対変位を効率よく減衰することができる。また、制振装置を構成する鉛直荷重支持部材の上端部および下端部においては、コストの掛かる球面滑り軸受等を用いる必要がない。
【発明の効果】
【００２２】
請求項１に係る制振装置によれば、鉛直荷重支持部材に球面滑り軸受を採用する必要がないことから、低コストでありながら、耐震性能を確保することができる。
【００２３】
また、上下の水平部材にガセットプレートを設けることで、鉛直荷重支持部材の上下端部を、上下の水平部材に対し、強固かつ容易に結合することができる。
【００２４】
また、鉛直荷重支持部材のそれぞれを細くすることができる。これにより、制振装置の水平面内における断面寸法を小さくすることができ、制振装置の設置位置が制限を受けたり、外観が武骨となったり、制振装置によって視野が妨げられるのを抑えることが可能となる。
【００２５】
請求項２に係る制振装置によれば、鉛直荷重支持部材に偏心力が掛かるのを抑えることができるので、鉛直荷重支持部材の上下端部に曲げモーメントが作用するのを抑え、鉛直荷重を効率よく支持することができる。
【００２６】
請求項３に係る制振装置によれば、制振装置の水平面内における断面寸法を小さくすることができる。その結果、制振装置の設置位置が制限を受けたり、外観が武骨となったり、制振装置によって視野が妨げられるのを抑えることが可能となる。
【００２７】
請求項４に係る制振装置によれば、鉛直荷重支持部材のそれぞれを細くすることができる。これにより、制振装置の水平面内における断面寸法を小さくすることができ、制振装置の設置位置が制限を受けたり、外観が武骨となったり、制振装置によって視野が妨げられるのを抑えることが可能となる。
【００２８】
請求項５に係る制振装置によれば、制振装置を建物の外部に設ける場合等においても、高い耐振性能を確実に維持することができる。
【００２９】
請求項６に係る構造物によれば、鉛直荷重支持部材に球面滑り軸受を採用する必要がないことから、低コストでありながら、耐震性能を確保することができる。
【図面の簡単な説明】
【００３０】
【図１】本発明の一実施形態に係る制振装置の建物の躯体への設置構造の概要を示す斜視図である。
【図２】図１に示す制振装置の構成を示す正面図である。
【図３】図２に示す制振装置のＡ−Ａ矢視断面図である。
【図４】図２に示す制振装置のＢ−Ｂ矢視断面図である。
【図５】図２に示す制振装置を構成するダンパー装置を示す正面図である。
【発明を実施するための形態】
【００３１】
以下、図面を参照し、本発明の一実施形態に係る制振装置を説明する。
図１は、本発明の一実施形態に係る制振装置の建物の躯体への設置構造の概要を示す斜視図である。図２は、図１に示す制振装置の構成を示す正面図である。図３は、図２に示す制振装置のＡ−Ａ矢視断面図である。図４は、図２に示す制振装置のＢ−Ｂ矢視断面図である。図５は、図２に示す制振装置を構成するダンパー装置を示す正面図である。
図１に示すように、建物の躯体（構造物）１には、外側面１ａから外方に張り出すバルコニー等の水平構造体２が、上下方向に間隔を空けて複数設けられている。各水平構造体２は、例えば、平面視矩形状で、鉄筋コンクリート造のスラブや、水平面内に組んだトラス等を有している。この実施形態において、水平構造体２は、躯体１の外側面１ａから直交する方向に延びる側梁３、３と、側梁３、３の先端部間に水平に架設され、躯体１の外側面１ａと平行に配置された補強梁（水平部材）４と、躯体１の外側面１ａに沿って設けられた躯体梁１ｂと補強梁４との間に斜めに架設されたブレース材５，５と、を備えている。
ここで、補強梁４は、いわゆるＨ鋼であり、鉛直面内に位置するウェブ４ａと、ウェブ４ａの上下においてそれぞれ水平面内に位置するフランジ４ｂと、を備えている。
【００３２】
躯体１の外方において互いに上下に位置する水平構造体２、２間には、制振装置１０が設けられている。ここで、制振装置１０は、各水平構造体２において、躯体１の外側面１ａから離間した側の角部２ｃに配されている。
【００３３】
図２〜図４に示すように、各制振装置１０は、上下に位置する水平構造体２、２間に生じる、地震等による水平方向の相対変位のエネルギーを吸収するダンパー部１１と、上下に位置する水平構造体２、２間における鉛直方向の荷重を支持する鉛直支持部３０と、を備えている。
【００３４】
ダンパー部１１は、上側の水平構造体２の補強梁４から下方に向かって垂下する上部ブラケット１２と、下側の水平構造体２の補強梁４から上方に向かって突出する下部ブラケット１３と、これら上部ブラケット１２と下部ブラケット１３との間に設けられたダンパー装置２０と、を備えている。
【００３５】
上部ブラケット１２、下部ブラケット１３は、それぞれ、例えばＨ型鋼１５から形成されている。Ｈ型鋼１５は、板状のウェブ部１５ａと、ウェブ部１５ａの両端にそれぞれ設けられ、ウェブ部１５ａにＴ字状に直交して形成されたフランジ部１５ｂと、を備えている。上部ブラケット１２、下部ブラケット１３は、Ｈ型鋼１５が上下方向に延び、かつ、フランジ部１５ｂが、補強梁４のウェブ４ａと同一鉛直面内に位置するよう設けられている。上部ブラケット１２の上端部１２ａは、上側の水平構造体２を構成する補強梁４の下側のフランジ４ｂに溶接等により一体に接合されている。下部ブラケット１３の下端部１３ａは、下側の水平構造体２を構成する補強梁４の上側のフランジ４ｂに溶接等により一体に接合されている。
これら上部ブラケット１２の下端部１２ｂと、下部ブラケット１３の上端部１３ｂとは、上下方向に、所定の寸法、例えば６００ｍｍ程度、を隔てて対向配置されている。
【００３６】
図５に示すように、ダンパー装置２０は、鋼製ダンパーであり、ダンパー本体（ダンパー）２１と、ダンパー本体２１の上下にそれぞれ設けられた取付部材２２と、を備えている。
【００３７】
ダンパー本体２１は、例えば上下方向に延びる帯状、あるいは板状等をなした鋼製ダンパーであり、躯体１や上部ブラケット１２、下部ブラケット１３よりも降伏点の低い鋼製材料から形成されている。ここで、ダンパー本体２１については、所要の振動エネルギー吸収性能を有していれば、適宜の形状、材質、構造のものを採用することができる。
【００３８】
取付部材２２は、上部ブラケット１２の下端部１２ｂとダンパー本体２１、下部ブラケット１３の上端部１３ｂとダンパー本体２１とを、それぞれ連結する。この実施形態において、取付部材２２は、ダンパー本体２１の幅方向両側にそれぞれ設けられ、上下方向に長い帯状の取付部材２２Ａと、ダンパー本体２１の幅方向中央部に設けられ、幅方向に長い矩形状の取付部材２２Ｂと、があり、それぞれ複数本のボルト２３により、上部ブラケット１２、ダンパー本体２１、下部ブラケット１３に結合されている。なお、ダンパー本体２１の幅方向は、言い換えると、ダンパー装置２０の変位吸収方向であり、図示の例では、補強梁４が延びる方向となっている。
【００３９】
このダンパー装置２０では、上部ブラケット１２と下部ブラケット１３との水平方向の相対変位が、取付部材２２を介してダンパー本体２１の上下に入力される。ダンパー本体２１は、その上部と下部とが水平方向に相対変位するのに応じて弾性変形または塑性変形し、水平方向の変位エネルギーを吸収（減衰）する。
【００４０】
図２〜図４に示すように、鉛直支持部３０は、上下の補強梁４、４に一体に接合されたガセットプレート３１Ａ、３１Ｂと、上下方向に延び、上下のガセットプレート３１Ａ、３１Ｂに結合された支持部材（鉛直荷重支持部材）３２と、を備えている。鉛直支持部３０は、ダンパー装置２０の幅方向中央部に位置している。
【００４１】
図２、図３に示すように、ガセットプレート３１Ａ、３１Ｂは、上下の補強梁４に対し、それぞれウェブ４ａの両面に一対で設けられている。ガセットプレート３１Ａ、３１Ｂは、それぞれウェブ４ａおよびフランジ４ｂ、４ｂに溶接により一体に接合されている。ガセットプレート３１Ａ、３１Ｂは、上下の補強梁４のそれぞれにおいて、ウェブ４ａの表面に直交する鉛直面内に位置し、ウェブ４ａの表面に直交する方向から見たときに、ダンパー装置２０の幅方向中心位置（変位吸収方向中央部）Ｃと同芯上に位置するよう設けられている。
【００４２】
図４に示すように、上側の補強梁４に接合されたガセットプレート３１Ａは、支持部材取付部（上部結合部）３１ｓを有している。支持部材取付部３１ｓは、支持部材３２が設けられている下側のフランジ４ｂの端部４ｓよりも、ウェブ４ａの表面から離間する側（補強梁４が延びる方向に交差する方向）に張り出すとともに、フランジ４ｂよりも下方に所定長延びる。ガセットプレート３１Ａは、上方から下方に向かって、ウェブ４ａの表面から離間する方向への突出寸法Ｔが漸次大きくなるよう形成されている。
下側の補強梁４に接合されたガセットプレート３１Ｂは、支持部材取付部（下部結合部）３１ｔを有している。支持部材取付部３１ｔは、支持部材３２が設けられている上側のフランジ４ｂの端部４ｓよりも、ウェブ４ａの表面から離間する側に張り出すとともに、フランジ４ｂよりも上方に所定長延びる。
【００４３】
なお、これらのガセットプレート３１Ａ、３１Ｂの少なくとも一部は、上部ブラケット１２および下部ブラケット１３を構成するＨ型鋼１５に対し、ウェブ部１５ａの両側のフランジ部１５ｂ、１５ｂに挟まれた空間Ｓ内に配置されている。
【００４４】
図４に示すように、支持部材３２は、上下の補強梁４、４を、補強梁４、４が延びる方向に交差する方向に挟んだ両側に、それぞれ２本ずつ設けられている。また、上下の補強梁４、４が延びる方向に交差する方向の一方の側と他方の側のそれぞれにおいて、支持部材３２は、ガセットプレート３１Ａ、３１Ｂを補強梁４、４が延びる方向に挟んだ両側にそれぞれ設けられている。各支持部材３２は、鋼製で平断面視Ｌ字状のアングル材からなる。
各支持部材３２は、上下方向になるべく長いのが好ましく、少なくとも、ダンパー装置２０の上下方向の長さよりも長く形成されている。さらに、各支持部材３２は、その上端部３２ａが上側の補強梁４の下側のフランジ４ｂの直下に位置し、下端部３２ｂが下側の補強梁４の上側のフランジ４ｂの直上に位置する長さとするのが、より好ましい。
【００４５】
平断面視Ｌ字状の各支持部材３２は、その上端部３２ａおよび下端部３２ｂにおいて、上側のガセットプレート３１Ａの支持部材取付部３１ｓおよび下側のガセットプレート３１Ｂの支持部材取付部３１ｔに対し、複数本のボルト３３によりピン接合されている。図３に示すように、各支持部材３２は、一方の平板部３２ｐが、ガセットプレート３１Ａ、３１Ｂに沿い、他方の平板部３２ｑが、ウェブ部１５ａの表面から離間した位置でウェブ部１５ａと平行に位置するよう設けられている。また、支持部材３２の少なくとも一部は、上部ブラケット１２および下部ブラケット１３を構成するＨ型鋼１５に対し、ウェブ部１５ａの両側のフランジ部１５ｂ、１５ｂに挟まれた空間Ｓ内に配置されている。
【００４６】
このような制振装置１０は、地震等により躯体１とともに水平方向に変位することによって、上側の補強梁４と下側の補強梁４とが相対変位を生じると、ダンパー部１１の上部ブラケット１２と下部ブラケット１３とが、水平方向に相対変位する。この相対変位は、上下の取付部材２２を介してダンパー本体２１に入力される。ダンパー本体２１においては、上部ブラケット１２と下部ブラケット１３との水平方向への相対変位に対し、ダンパー本体２１が変形することで、変位のエネルギーを減衰する。ここで、ダンパー本体２１は、相対変位の大きさにより、弾性変形または塑性変形する。
このようにして、上部ブラケット１２と下部ブラケット１３とを介し、ダンパー本体２１で躯体１の水平方向の相対変位のエネルギーを吸収することで、躯体１の耐震性能を向上させる。
【００４７】
一方、制振装置１０においては、支持部材３２により、上側の補強梁４と下側の補強梁との間で、上下方向の荷重を支持する。
【００４８】
以上説明したように、本実施形態に係る制振装置１０および建物の躯体１によれば、互いに上下に位置する一対の補強梁４、４間において、ダンパー本体２１を、上側の補強梁４から下方に延びる上部ブラケット１２と、下側の補強梁４から上方に延びる下部ブラケット１３との間に設けることで、ダンパー本体２１の上下方向の寸法を小さくすることができる。これにより、地震時等においては、上部ブラケット１２と下部ブラケット１３とを介して伝達される上側の補強梁４と下側の補強梁４との水平方向の相対変位を、ダンパー本体２１で効率よく減衰することができる。
また、支持部材３２は、ダンパー本体２１の上下方向の寸法よりも上下に長いため、支持部材３２の上端部３２ａにおける上側の補強梁４への接合部分、および下端部３２ｂにおける下側の補強梁４への接合部材における変位角をそれぞれ小さくすることができる。したがって、支持部材３２の上端部３２ａおよび下端部３２ｂにおいては、コストの掛かる球面滑り軸受等を用いる必要がなく、低コストでありながら、高い耐震性能を確保することが可能となる。
【００４９】
また、支持部材３２を、上下の補強梁４に一体に設けたガセットプレート３１Ａ、３１Ｂを介して取り付けることで、支持部材３２の上端部３２ａおよび下端部３２ｂを、上下の補強梁４、４のそれぞれに対して強固に結合することができる。
また、上下のガセットプレート３１Ａ、３１Ｂは、上下の補強梁４、４に対して支持部材３２側に支持部材取付部３１ｓ、支持部材取付部３１ｔを有しているので、支持部材３２を、上下の補強梁４、４の近傍で容易に結合することができる。
【００５０】
また、断面Ｈ型をなした上部ブラケット１２および下部ブラケット１３に対し、ウェブ部１５ａの両側のフランジ部１５ｂ、１５ｂに挟まれた空間Ｓ内にガセットプレート３１Ａ、３１Ｂおよび支持部材３２の一部が収められている。これにより、ガセットプレート３１Ａ、３１Ｂおよび支持部材３２の、ウェブ部１５ａの表面１５ｆから離間する方向への突出寸法を抑えることができる。したがって、制振装置１０の水平面内における断面寸法を小さくすることができる。その結果、制振装置１０の設置位置が制限を受けたり、外観が武骨となったり、制振装置１０によって視野が妨げられるのを抑えることが可能となる。
【００５１】
また、ガセットプレート３１Ａ、３１Ｂおよび支持部材３２は、補強梁４が延びる方向に交差する方向において補強梁４を挟んだ両側、および補強梁４が延びる方向においてガセットプレート３１Ａ、３１Ｂを挟んだ両側にそれぞれ設けられているので、鉛直荷重を複数の支持部材３２で分散して支持することができる。したがって、支持部材３２のそれぞれで支持する鉛直荷重が小さくなり、支持部材３２のそれぞれを細くすることができる。これにより、制振装置１０の水平面内における断面寸法、特に補強梁４のウェブ４ａに直交する方向における寸法を小さくすることができる。その結果、制振装置１０の設置位置が制限を受けたり、外観が武骨となったり、制振装置１０によって視野が妨げられるのを抑えることが可能となる。
【００５２】
また、ガセットプレート３１Ａ、３１Ｂおよび支持部材３２によって構成されている鉛直支持部３０は、ダンパー本体２１の幅方向中心位置Ｃを含む鉛直面内に位置するよう設けられている。これにより、ダンパー本体２１に対して鉛直支持部３０がダンパー装置２０における変位吸収方向中央部から側方にオフセットするのを抑えることで、支持部材３２に偏心力が掛かるのを抑えることができる。これによって、支持部材３２の上下端部３２ｂに曲げモーメントが作用するのを抑え、鉛直荷重を効率よく支持することができる。
【００５３】
また、ダンパー本体２１は、鋼製ダンパーであるので、ダンパー本体２１を粘弾性ダンパーとした場合に比較し、熱影響を受けにくくすることができる。したがって、制振装置１０を、建物の外部等、日射等によって温度上昇しやすい位置に設ける場合においても、高い耐振性能を確実に維持することができる。
【００５４】
なお、本発明の技術的範囲は前記実施形態に限定されるものではなく、本発明の趣旨を逸脱しない範囲において種々の変更を加えることが可能である。
例えば、支持部材３２を、上下の補強梁４に接合したガセットプレート３１Ａ、３１Ｂに結合するようにしたが、ガセットプレート３１Ａ、３１Ｂの形状はいかなるものとしてもよい。例えば、上記実施形態では、ガセットプレート３１Ａ、３１Ｂが、補強梁４のウェブ４ａからの突出寸法が上下方向に漸次変化するようにしたが、これに限らず、突出寸法は一定としてもよい。
また、ガセットプレート３１Ａ、３１Ｂではなく、支持部材３２を、他のブラケット等を用いて上下の補強梁４に結合してもよい。その場合においても、支持部材３２の上端部３２ａおよび３２ｂは、上下の補強梁４、４になるべく近い位置で結合するようにして、支持部材３２の上下方向の長さを長くするのが好ましい。
【００５５】
また、躯体１の構成については、いかなる構成であってもよい。
さらに、制振装置１０およびその上下の水平構造体２は、躯体１の新設時に同時に備えることもできるし、既設の躯体１に対し、制振装置１０および水平構造体２を設けるようにしてもよい。
また、水平構造体２を、躯体１の外側面１ａから外方に張り出すように設けたが、これに限らない。躯体１を構成し、互いに上下に位置する梁やスラブ等の水平構造体の間に、上記構成の制振装置１０を設けることもできる。
【００５６】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５７】
１  躯体（構造物）
４  補強梁（水平部材）
１０  制振装置
１２  上部ブラケット
１３  下部ブラケット
１５  Ｈ型鋼
１５ａ  ウェブ部
１５ｂ  フランジ部
２１  ダンパー本体（ダンパー）
３０  鉛直支持部
３１Ａ、３１Ｂ  ガセットプレート
３１ｓ  支持部材取付部（上部結合部）
３１ｔ  支持部材取付部（下部結合部）
３２  支持部材（鉛直荷重支持部材）
３２ａ  上端部
３２ｂ  下端部
Ｃ  幅方向中心位置（変位吸収方向中央部）
【要約】
【課題】低コストでありながら、耐震性能を確保する。
【解決手段】互いに上下に位置する一対の補強梁４、４間に設置される制振装置１０は、上側の補強梁４に接合され、下方に延びる上部ブラケット１２と、下側の補強梁４に接合され、上方に延びる下部ブラケット１３と、上部ブラケット１２と下部ブラケット１３との間に設けられ、上部ブラケット１２と下部ブラケット１３との水平方向の相対変位を減衰するダンパー本体２１と、ダンパー本体２１よりも上下に長く、上端部３２ａが上側の補強梁４に結合され、下端部３２ｂが下側の補強梁４に結合された支持部材３２と、を備える。
【選択図】図４【図１】
0005927333.tif 000002
【図２】
0005927333.tif 000003
【図３】
0005927333.tif 000004
【図４】
0005927333.tif 000005
【図５】
0005927333.tif 000006